(57)【要約】【課題】外筒の構造を変えることなく抜け止め位置を変更できるようにし、単一の構成で複数の種類の抜け止め位置を実現でき、部品管理を容易化する。【解決手段】外筒２の背面に開口する抜け止め孔２３を設けた。抜け止め孔２３に抜け止めピン６を挿入すると、ドライブ孔２２Ｃのドライブピン４の外側に抜け止めピン６が当接し、ドライブピン４の外側への移動が規制される。内筒１のタンブラー孔１２Ｃに収納されたタンブラーピン４の移動も規制され、内筒１が第２の回転位置にある時には鍵穴１１からの鍵３０の引き抜きが禁止される。【選択図】図２
2008050928.tif 000002
【特許請求の範囲】
【請求項１】
鍵穴に挿入された鍵の形状に応じて半径方向に変位するタンブラーピンを収納した内筒と、
前記内筒を回転自在に支持し、前記内筒の複数の回転位置のそれぞれで前記タンブラーピンに対向して前記タンブラーピンを前記内筒の中心に向けて押圧する複数のドライブピンを収納した外筒と、
前記複数のドライブピンのうち前記複数の回転位置の少なくとも１つの回転位置で前記タンブラーピンに対向するドライブピンの外側への移動を規制するように、前記外筒内に背面側から挿脱自在にされた抜け止めピンと、を備えたことを特徴とするピンタンブラー錠。
【請求項２】
前記外筒は、さらに、前記ドライブピンを前記内筒の中心に向けて付勢する弾性部材を前記ドライブピンと同軸上に備え、
前記抜け止めピンは、前記ドライブピンに接触し、前記弾性部材に接触しない位置に挿入される請求項１に記載のピンタンブラー錠。
【請求項３】
鍵穴に挿入された板鍵の形状に応じて半径方向に変位するタンブラーピンを、前記鍵穴を挟む両側のそれぞれに前記板鍵の挿入方向に沿って一定のピッチで複数ずつ収納した内筒と、
前記内筒を回転自在に支持し、前記内筒の複数の回転位置のそれぞれで前記複数のタンブラーピンのそれぞれに対向して前記複数のタンブラーピンのそれぞれを前記内筒の中心に向けて押圧する複数のドライブピンを収納した外筒と、
前記複数のドライブピンのうち前記複数の回転位置の少なくとも１つの回転位置で前記複数のタンブラーピンのうちの所定のタンブラーピンに対向する所定のドライブピンの外側への移動を規制するように、前記外筒内に背面側から挿脱自在にされた抜け止めピンと、を備え、
前記板鍵は、表面及び裏面のそれぞれに前記複数のタンブラーピンのそれぞれが嵌入する複数の凹部を前記挿入方向に沿って形成し、
前記複数の凹部のうち、前記所定のタンブラーピンが嵌入する所定の凹部以外の凹部を前記一定のピッチで配置し、前記所定の凹部以外の凹部と前記所定の凹部とのピッチを前記一定のピッチよりも小さくしたことを特徴とするピンタンブラー錠。
【請求項４】
請求項１乃至３のいずれかに記載のピンタンブラー錠と、前記内筒の背面側に同軸上に固定され、前記内筒と一体的に回転する回転カムと、前記回転カムの回転に基づいて可動接点の動作を制御する接点部と、を備えたことを特徴とするピンタンブラー錠付装置。
【発明の詳細な説明】
【技術分野】
【０００１】
この発明は、内筒に挿入された鍵の形状に応じて内筒内でタンブラーピンを半径方向に同移動させることで内筒を複数の回転位置のそれぞれで選択的に停止させるピンタンブラー錠、及び、ピンタンブラー錠の内筒の回転位置に応じて電気接点の開閉状態を変化させる鍵付セレクタスイッチ等のピンタンブラー錠付装置に関する。
【背景技術】
【０００２】
制御盤等に配置されるセレクタスイッチとして、特定の操作者のみが操作できるようにすべく、タンブラー錠を備えた鍵付セレクタスイッチがある。鍵付セレクタスイッチは、前面から鍵が挿入される鍵穴を備えたロータ（内筒）、ロータを回転自在に収納したロータケース（外筒）、ロータと一体的に回転する回転カム、回転カムの回転によってロータの軸方向に変位する操作部材、操作部材が可動接点に当接する電気接点を備えている。
【０００３】
鍵が挿入されたロータは、ロータケース内の複数の回転位置のそれぞれで選択的に停止できるようにされている。操作部材は、ロータの回転位置に応じて、ロータの背面側に配置されている電気接点の開閉状態を変化させる。
【０００４】
鍵付セレクタスイッチでは、電気接点の開閉状態を変化させるためには、ロータの鍵穴に鍵が挿入されていなければならない。ロータの複数の回転位置のいずれでもロータの鍵穴から鍵を引き抜くことができることとすると、電気接点の開閉状態を即時に変化させることができない場合を生じうる。例えば、電源ラインに鍵付セレクタスイッチが接続された被制御機器の動作中に鍵穴から鍵が引き抜かれていると、被制御装置を停止させる場合にも鍵を鍵穴に挿入する操作が必要になり、緊急時に被制御装置を急停止させることができない。
【０００５】
そこで、従来の鍵付セレクタスイッチでは、抜け止め構造を備えたものがある。抜け止め構造は、ロータが特定の抜け止め位置に停止しているときに、鍵穴からの鍵の引き抜きを禁止する（例えば、特許文献１参照。）。
【０００６】
特許文献１に記載されている鍵付セレクタスイッチのように、板タンブラー錠を用いたものでは、ロータが特定の抜け止め位置にあるときにロータ内での板タンブラーの移動を規制する。
【０００７】
即ち、板タンブラー錠では、ロータ内に複数枚の板タンブラーのそれぞれを半径方向に移動自在にして備え、ロータの複数の回転位置のそれぞれで板タンブラーに対向する半径方向の溝がロータケースに形成されている。板タンブラーが溝に対向する位置では、鍵の形状に応じた板タンブラーが半径方向に移動して溝内に進入することができ、ロータの鍵穴に鍵を抜き差しすることができる。
【０００８】
ロータが抜け止め位置にあるときに板タンブラーが対向する溝には、抜け止め部材が挿入されている。ロータが抜け止め位置にあるときには、板タンブラーが溝内に進入できないため、ロータの鍵穴に対する鍵の抜き差しが規制される。
【０００９】
鍵付セレクタスイッチは、種々の状況で使用される。このため、同一形状であっても使用状況等に応じて互いに異なる回転位置を抜け止め位置とした複数種類の鍵付セレクタスイッチを準備する必要がある。板タンブラー錠を用いた鍵付セレクタスイッチでは、複数の溝のうち抜け止め部材を挿入する溝を変えることで抜け止め位置を変更できる。抜け止め位置の種類に応じた数の鍵付セレクタスイッチを準備する必要がなく、部品管理が容易になる。
【特許文献１】特開平０１−１２２５２７号公報
【発明の開示】
【発明が解決しようとする課題】
【００１０】
近年、不正操作を防止すべく、鍵付セレクタスイッチには板タンブラー錠に代えてピンタンブラー錠が多用されている。
【００１１】
しかし、ピンタンブラー錠では、構造上、抜け止め位置を容易に変更することができない問題がある。即ち、ピンタンブラー錠は、内筒及び外筒を備えている。内筒には、前面に開放した鍵穴が形成され、鍵穴と周面との間を半径方向に貫通するタンブラー孔が軸方向に沿って複数形成されている。複数のタンブラー孔のそれぞれにはタンブラーピンが半径方向に移動自在に保持されている。外筒は、内筒を回転自在に支持しており、内筒の複数の回転位置のそれぞれでタンブラーピンに対向する半径方向のドライブ孔を備えている。ドライブ孔内には、タンブラーピンを中心に向かって押圧するドライブピンが半径方向に移動自在に保持されている。
【００１２】
従来のピンタンブラー錠では、内筒が抜け止め位置にある時にタンブラーピンに対向するドライブ孔を外筒に形成しないことでタンブラーピンが半径方向に移動できないようにし、鍵穴からの鍵の引き抜きを規制している。
【００１３】
このため、ピンタンブラー錠を用いた場合には、抜け止め位置を変更するためには外筒の構成を変えることが考えられるが、抜け止め位置の種類に応じた数の鍵付セレクタスイッチを準備しておく必要があり、部品管理が煩雑化する。
【００１４】
この発明の目的は、外筒の構造を変えることなく抜け止め位置を容易に変更できるようにし、単一の構成で複数の種類の抜け止め位置を実現でき、部品管理を容易化できるピンタンブラー錠及びピンタンブラー錠付装置を提供することにある。
【課題を解決するための手段】
【００１５】
この発明のピンタンブラー錠は、内筒、外筒、抜け止めピンを備えている。内筒は、鍵穴に挿入された鍵の形状に応じて半径方向に変位するタンブラーピンを収納する。外筒は、内筒を回転自在に支持し、内筒の複数の回転位置のそれぞれでタンブラーピンに対向してタンブラーピンを内筒の中心に向かって押圧するドライブピンを収納する。抜け止めピンは、外筒内に背面側から挿脱自在にされ、複数のドライブピンのうち複数の回転位置の少なくとも１つの回転位置でタンブラーピンに対向するドライブピンの外側への移動を規制する。
【００１６】
外筒内に背面側から抜け止めピンを挿入すると、ドライブピンの外側への移動が規制され、このドライブピンに対向するタンブラーピンは外側に移動できずに鍵に係合したままとなり、鍵穴から鍵を引き抜くことができなくなる。
【００１７】
外筒には、ドライブピンを内筒の中心に向けて付勢する弾性部材が備えられる。抜け止めピンは、外筒内に挿入された際に、ドライブピンにのみ接触し、弾性部材には接触しないものとすることができる。抜け止めピンは、外筒内に背面側から容易に挿脱される。
【００１８】
この発明のピンタンブラー錠付装置は、上記のピンタンブラー錠、回転カム、接点部を備えている。回転カムは、内筒の背面側に同軸上に固定され、内筒と一体的に回転する。接点部は、回転カムの回転に基づいて可動接点の動作を制御する。
【００１９】
ピンタンブラー錠の内筒の回転により、回転カムが一体的に回転し、可動接点の動作が制御される。内筒の回転位置に応じて接点部の開閉状態が変化する。
【発明の効果】
【００２０】
この発明によれば、複数の回転位置の何れかで外筒内に背面側から抜け止めピンを挿入することにより、その回転位置でのドライブピンの外側への移動を規制し、ピンを外側に移動できずに鍵に係合したままの状態とすることができる。抜け止めピンが挿入された回転位置を抜け止め位置とすることができ、複数の回転位置のいずれかに選択的に抜け止めピンを挿入することで、外筒の構造を変えることなく抜け止め位置を変更することができる。単一の構成で複数の種類の抜け止め位置を実現でき、部品管理を容易化できる。
【発明を実施するための最良の形態】
【００２１】
図１は、この発明の実施形態に係るピンタンブラー錠の正面図である。ピンタンブラー錠１０は、内筒１及び外筒２を備えている。内筒１は、外筒２と同軸上で回転自在にして外筒２内に収納されている。内筒１の前面には、鍵穴１１が開口している。
【００２２】
内筒１は、第１の回転位置及び第２の回転位置で停止することができる。一例として、内筒１の前面における鍵穴１１の長手方向は、第１の回転位置で垂直になり、第１の回転位置から内筒１を時計方向に９０度回転させた第２の回転位置で水平になる。外筒２の前面には、抜き差し位置及び抜け止め位置が、一例として刻印２４，２５により示されている。
【００２３】
図２は、上記ピンタンブラー錠の側面断面図である。図２（Ａ）は第１の回転位置における側面断面図であり、図２（Ｂ）は第２の回転位置における側面断面図である。
【００２４】
内筒１には、一例として３個のタンブラー孔１２Ａ〜１２Ｃが中心軸に沿って一列に形成されている。各タンブラー孔１２Ａ〜１２Ｃは、鍵穴１１と内筒１の周面との間を内筒１の半径方向に貫通し、鍵穴１１に挿入された鍵３０の側面に対向する。各タンブラー孔１２Ａ〜１２Ｃには、タンブラーピン３が内筒１の半径方向に移動自在にして収納されている。
【００２５】
外筒２には、３個のドライブ孔２１Ａ〜２１Ｃ及び３個のドライブ孔２２Ａ〜２２Ｃが中心軸に沿ってそれぞれ一列に形成されている。各ドライブ孔２１Ａ〜２１Ｃは、内筒１が第１の回転位置にあるときに各タンブラー孔１２Ａ〜１２Ｃに対向する。各ドライブ孔２２Ａ〜２２Ｃは、内筒１が第２の回転位置にあるときに各タンブラー孔１２Ａ〜１２Ｃに対向する。各ドライブ孔２１Ａ〜２１Ｃ及び２２Ａ〜２２Ｃは、外筒２の半径方向に形成されている。
【００２６】
各ドライブ孔２１Ａ〜２１Ｃ及び２２Ａ〜２２Ｃには、ドライブピン４が外筒２の半径方向に移動自在にして収納されており、各ドライブピン４の外側にコイルバネ５が配置されている。コイルバネ５は、この発明の弾性部材である。各ドライブピン４は、コイルバネ５の弾性力により、タンブラーピン３を内筒１の中心に向けて押圧する。各タンブラーピン３は、鍵３０の側面の３カ所に形成された凹部３１Ａ〜３１Ｃのそれぞれに嵌入する。
【００２７】
鍵穴１１に鍵３０を挿入する際には、タンブラーピン３及びドライブピン４が一旦外側に移動した後、コイルバネ５の弾性力によって中心に向かって移動して凹部３１Ａ〜３１Ｃに嵌入する。鍵穴１１から鍵３０を引き抜く際には、凹部３１Ａ〜３１Ｃに嵌入しているタンブラーピン３をドライブピン４とともに外側に移動させ、凹部３１Ａ〜３１Ｃに対するタンブラーピン３の嵌入状態を解除する必要がある。
【００２８】
図３は、上記ピンタンブラー錠の背面図である。外筒２の背面には、抜け止め穴２３が開口している。抜け止め穴２３には、抜け止めピン６が背面側から外筒２内に挿入される。抜け止め穴２３は、ドライブ孔２２Ａ〜２２Ｃのうち少なくとも最も背面側のドライブ孔２２Ｃの一部に開放している。抜け止め穴２３に挿入された抜け止めピン６は、最も背面側のドライブ孔２２Ｃで、ドライブピン４の外側に当接し、コイルバネ５には接触しない。抜け止め穴２３に抜け止めピン６を挿入すると、ドライブ孔２２Ｃ内でのドライブピン４の外側への移動が規制される。
【００２９】
内筒１が第１の回転位置にあり、タンブラー孔１２Ａ〜１２Ｃがドライブ孔２１Ａ〜２１Ｃに対向する状態では、ドライブ孔２１Ａ〜２１Ｃの全てでドライブピン４が外側に移動することができ、タンブラー孔１２Ａ〜１２Ｃの全てでピン３が外側に移動できる。内筒１が第１の回転位置にある時には、タンブラーピン３の凹部３１Ａ〜３１Ｃへの嵌入状態を解除することができ、鍵穴１１に対して鍵３０を挿脱することができる。
【００３０】
抜け止め穴２３に抜け止めピン６が挿入されている場合、内筒１が第２の回転位置にあり、タンブラー孔１２Ａ〜１２Ｃがドライブ孔２２Ａ〜２２Ｃに対向する状態では、最も背面側のタンブラー孔１２Ｃ内でタンブラーピン３の移動が規制さる。内筒１が第２の回転位置にある時には、タンブラーピン３の凹部３１Ｃへの嵌入状態を解除することができず、鍵穴１１からの鍵３０の引き抜きが禁止される。
【００３１】
抜け止め穴３２に抜け止めピン６を挿入するか否かを選択することにより、使用状況に応じて、内筒１の第２の回転位置を選択的に抜け止め位置とすることができる。
【００３２】
抜け止め穴２３に挿入された抜け止めピン６は、ドライブピン４の外側に当接し、コイルバネ５には接触しない。このため、抜け止めピン６を抜け止め穴２３に容易に挿脱することができる。
【００３３】
抜け止め穴２３は、ドライブ孔２２Ａ〜２２Ｃのうち最も背面側のドライブ孔２２Ｃを含む複数又は全てに開放するように形成することもできる。複数のタンブラーピン３及び複数のドライブピン４の外側への移動を規制して鍵穴１１からの鍵の引き抜きをより確実に禁止することができる。
【００３４】
抜け止め穴２３は、ドライブ孔２２Ｃに開放する位置だけでなく、ドライブ孔２１Ｃに開放する位置にも設けることができる。使用状況に応じて、内筒１の第１の回転位置又は第２の回転位置の何れかを選択的に抜け止め位置とすることができる。刻印２４〜２６が表記されたピンタンブラー錠１０′のように（図４参照。）、内筒１が選択的に停止する第１〜第３の回転位置が設定されている場合にも、その一部又は全てに対応する位置に抜け止め穴２３を設けることができる。内筒１が選択的に停止する４個所以上の回転位置が設定されている場合にも同様である。
【００３５】
以上の構成により、単一の構造のピンタンブラー錠１０を、使用状況に応じて、内筒１の複数の回転位置のうち任意の回転位置を抜け止め位置とすることができる。使用状況に応じて構造の異なる複数のピンタンブラー錠を準備する必要がなく、部品管理が容易になる。また、抜け止めピン６は、抜け止め穴２３に挿脱可能であり、挿入したり引き抜いたりして再利用が可能である。
【００３６】
図３に示した例では、抜け止め穴２３が円形断面を呈し、抜け止めピン６が円柱形状を呈する。抜け止め穴２３及び抜け止めピン６は、コイルバネ５に接触することなくドライブピン４の外側への移動を規制できることを条件として、他の形状とすることができる。例えば、図５（Ａ）に示すようにコイルバネ５の両側に抜け止め穴２３′を形成し、抜け止めピン６′を図５（Ｂ）に示す形状としてもよい。図５に示す形状とすることで、ドライブピン４の外側への移動をより確実に規制できる。
【００３７】
図６は、この発明の実施形態に係るピンタンブラー錠付装置の一例であるセレクタスイッチの構成を示す側面断面図である。セレクタスイッチ２０は、ピンタンブラー錠１０、回転カム７、操作部材８、接点部９、外枠４１、内枠４２、ホルダ４３、パッキン４４、取付枠４５、取付ナット４６、止めネジ４７及び固定枠４８を備えている。
【００３８】
ピンタンブラー錠１０は、セレクタスイッチ２０の使用状況に応じて、抜け止め穴２３に抜け止めピン６を選択的に挿入することで、内筒１の複数の回転位置の少なくとも１個所を抜け止め位置としている。ピンタンブラー錠１０は、ホルダ４３に収納された後、パッキン４４を介して外枠４１内に保持される。
【００３９】
回転カム７は、内筒１の背面に止めネジ４７を介して同軸上に固定されている。回転カム７は、背面側の端部の軸方向の位置を周面に沿って変化させている。
【００４０】
操作部材８は、固定枠４８によって内枠４２の内部で軸方向に移動自在に保持されている。操作部材８は、前面側端部を回転カム７の背面側の端部に当接させており、背面側端部が接点部９内に挿入されている。
【００４１】
接点部９は、ピンタンブラー錠１０の背面側において内枠４２の背面に装着されて支持される。接点部９は、内部に固定接点及び可動接点を備えている。接点部９は、固定接点と可動接点との間で図示しない電気回路を開閉する。操作部材の背面側の端部は、接点部９内で可動接点に当接する。内枠４２が、この発明の支持部材に相当する。
【００４２】
セレクタスイッチ２０は、外枠４１の前面側のフランジ部と取付枠４５との間にパネル板等を挟持して制御パネル等に取り付けられる。
【００４３】
鍵穴１１に挿入した鍵３０を介して内筒１を回転させることにより、回転カム７が内筒１と一体的に回転する。回転カム７の回転により、回転カム７の背面側端部で操作部材８の前面側端部が当接する位置が変位する。操作部材８は、前面側端部が当接する回転カムの背面側端部の軸方向の位置に応じて軸方向に変位し、背面側端部によって内筒１の回転位置８に応じて可動接点を固定接点に向けて押圧する。
【００４４】
ピンタンブラー錠１０における内筒１の回転位置に応じて、接点部９内で電気回路を開閉することができる。接点部９の構成に応じて、内筒１の回転位置と接点の開閉状態との関係が種々変化し、内筒１の複数の回転位置のうち鍵穴１１に挿入された鍵３０の引き抜きを禁止すべき回転位置も変化する。接点部９の構成に応じて単一の構造のピンタンブラー錠１０で抜け止めピン６を挿入する位置を適宜選択することにより、内筒１の回転位置と接点の開閉状態との関係の変化に対応することができ、部品管理が容易化される。
【００４５】
なお、この発明のピンタンブラー錠付き装置は、内筒の背面側に同軸上に固定され、内筒と一体的に回転する回転カムと、回転カムの回転に基づいて可動接点の動作を制御する接点部とを備えたものであればよい。例えば、上記のように回転カムの回転に基づいて可動接点の動作が制御されるセレクタスイッチのほか、押しボタンスイッチ、安全スイッチ又は制御盤であってもよい。この発明を押しボタンスイッチに適用する場合、従来の押しボタンスイッチにピンタンブラー錠と回転カムとを備え、押しボタンを押すと接点がオン又はオフする位置で回転カムによって押しボタンの復帰が規制され、ピンタンブラー錠を作動させる構成（回転カムを回転させることによって押しボタンの復帰が許可される構成）とすることができる。
【００４６】
図７は、この発明のさらに別の実施形態に係るピンタンブラー錠１０′に使用される板鍵３００の正面図である。図８は、板鍵３００が使用されるピンタンブラー錠１０′の構成及び動作を示す図である。図８（Ｂ）及び（Ｄ）は、それぞれ図８（Ａ）及び（Ｃ）中の断面位置Ｚ１−Ｚ１及びＺ２−Ｚ２における断面図である。
【００４７】
板鍵３００は、平板錠を呈し、挿入部３１及び操作部３２からなる。挿入部３１は、鍵穴１１に挿入される。操作部３２は、手指によって把持される。挿入部３１には、凹部３３Ａ〜３３Ｃ及び凹部３４Ａ〜３４Ｃが鍵穴１１に対する板鍵３００の挿入方向Ｘに沿って３個ずつ２列に形成されている。板鍵３００の裏面にも、前面と同様に凹部３３Ａ〜３３Ｃ及び凹部３４Ａ〜３４Ｃが形成されている。
【００４８】
ピンタンブラー錠１０′は、鍵穴１１を挟んで両側に３個ずつ合計６個のタンブラーピン３を備えている。板鍵３００がピンタンブラー錠１０′の鍵穴１１に挿入された際に、板鍵３００の前面の凹部３４Ａ〜３４Ｃ及び裏面の凹部３３Ａ〜３３Ｃに、６個のタンブラーピン３のそれぞれが嵌入する。板鍵３００が表裏反転して鍵穴１１に挿入された際には、板鍵３００の裏面の凹部３４Ａ〜３４Ｃ及び前面の凹部３３Ａ〜３３Ｃに、６個のタンブラーピン３のそれぞれが嵌入する。
【００４９】
ピンタンブラー錠１０′は、鍵穴１１を挟む両側のそれぞれに３個ずつのタンブラーピン３を一定のピッチＰＡで備えている。板鍵３００は、凹部３３Ａと凹部３３Ｂとの間、凹部３３Ｂと凹部３３Ｃとの間、凹部３４Ａと凹部３４Ｂとの間をピッチＰＡとし、凹部３４Ｂと凹部３４Ｃとの間をピッチＰＡよりも短いピッチＰＢとしている。凹部３４Ｃは、この発明の所定の凹部である。
【００５０】
なお、板鍵３００を表裏反転して鍵穴１１に挿入できるようにする必要がない場合、表面に凹部３４Ａ〜３４Ｃのみを形成し、裏面に凹部３３Ａ〜３３Ｃのみを形成してもよい。
【００５１】
ピンタンブラー錠１０′に抜け止め穴２３を加工する際には、工作精度を考慮して、外筒２の背面における設計上の位置よりも半径方向の外側に公差が与えられる。抜け止め穴２３が、外筒２の背面における設計上の位置よりも半径方向の内側に形成されると、ドライブピン４との干渉によって抜け止めピン６を挿入することができなくなるためである。したがって、抜け止め穴２３は、外筒２の背面における設計上の位置と設計上の位置よりも公差分だけ半径方向の外側に偏った位置との間の誤差範囲内に形成されることになる。
【００５２】
抜け止め穴２３が所定の誤差範囲内に位置する可能性があるため、凹部３３Ａ〜３３Ｃ及び凹部３４Ａ〜３４Ｃの全てをピッチＰＡで配置した板鍵３００′（図９参照。）では、抜け止め位置で鍵穴１１からの引抜方向の力を作用させつつ回転させることができなくなる。
【００５３】
即ち、凹部３３Ａ〜３３Ｃ及び凹部３４Ａ〜３４Ｃの全てをピッチＰＡで配置すると、図９（Ａ），（Ｂ）に示すように、板鍵３００′に引抜方向の力が作用していない状態で、凹部３３Ａ〜３３Ｃ及び凹部３４Ａ〜３４Ｃの全てに均等にタンブラーピン３が嵌入する。この時、ドライブピン４（所定のドライブピン）と抜け止めピン６との間には公差分の間隙がある。この状態から板鍵３００′に引抜方向の力が作用すると、図９（Ｃ），（Ｄ）に示すように、凹部３４Ｃに嵌入しているタンブラーピン３（所定のタンブラーピン）と凹部３４Ｃの傾斜面とが当接した後、ドライブピン４が抜け止めピン６に当接するまで板鍵３００′が引抜方向に移動する。この間に、凹部３３Ａ〜３３Ｃに嵌入しているタンブラーピン３のそれぞれが凹部３３Ａ〜３３Ｃの各傾斜面によって半径方向の外側に押し出され、内筒１と外筒２との間に跨がって位置する結果、内筒１を板鍵３００′とともに回転させることができなくなる。
【００５４】
そこで、抜け止めピン６が作用するタンブラーピン３が嵌入する凹部３４Ｃとこれに隣接する凹部３４ＢとのピッチＰＢをタンブラーピン３のピッチＰＡよりも小さくすることで、図８（Ａ），（Ｂ）に示すように、板鍵３００に引抜方向の力が作用していない状態で、凹部３４Ｃに嵌入しているタンブラーピン３と凹部３４Ｃの傾斜面とが当接するようにしておく。この状態から板鍵３００に引抜方向の力が作用すると、図８（Ｃ），（Ｄ）に示すように、凹部３４Ｃに嵌入しているタンブラーピン３が直ちに外側に移動し、ドライブピン４が抜け止めピン６に当接する。この間の板鍵３００の引抜方向への移動量は僅かであるため、凹部３３Ａ〜３３Ｃに嵌入しているタンブラーピン３のそれぞれは半径方向の外側に殆ど押し出されず、内筒１を板鍵３００とともに回転させることができる。
【００５５】
以上のように、図７に示すように、凹部３４Ｂと凹部３４Ｃとの間のピッチＰＢをタンブラーピン３のピッチＰＡよりも小さくすることで、板鍵３００に引抜方向の力が作用した場合にも、板鍵３００を介してピンタンブラー錠１０′を確実に回転操作することができる。
【００５６】
なお、ピッチＰＡとピッチＰＢとの差Ｓは、公差Ｄと凹部３４Ｃの傾斜面の角θとから
Ｓ＝ＰＡ−ＰＢ＝Ｄ・ｔａｎθ
によって求められる。
【００５７】
板鍵３０′が使用されるピンタンブラー錠１０′もピンタンブラー錠１０と同様に、セレクタスイッチ、押しボタンスイッチ、安全スイッチ又は制御盤等のピンタンブラー錠付装置に適用することができる。
【図面の簡単な説明】
【００５８】
【図１】この発明の実施形態に係るピンタンブラー錠の正面図である。
【図２】上記ピンタンブラー錠の第１の回転位置における側面断面図、及び、第２の回転位置における側面断面図である。
【図３】上記ピンタンブラー錠の背面図である。
【図４】この発明の別の実施形態に係るピンタンブラー錠の正面図である。
【図５】上記ピンタンブラー錠に適用される抜け止め穴及び抜け止めピンの他の例を示す図である。
【図６】この発明の実施形態に係るピンタンブラー錠付装置の一例であるセレクタスイッチの構成を示す側面断面図である。
【図７】この発明のさらに別の実施形態に係るピンタンブラー錠に使用される板鍵の正面図である。この発明の別の実施形態に係るピンタンブラー錠の正面図である。
【図８】同板鍵が使用されるピンタンブラー錠の構成及び動作を示す図である。
【図９】同板鍵に一定ピッチで凹部を形成した場合のピンタンブラー錠の構成及び動作を示す図である。
【符号の説明】
【００５９】
１  内筒
２  外筒
３  タンブラーピン
４  ドライブピン
５  コイルバネ（弾性部材）
６  抜け止めピン
７  回転カム
８  操作部材
９  接点部
１０  ピンタンブラー錠
１１  鍵穴
１２Ａ〜１２Ｃ  タンブラー孔
２０  セレクタスイッチ
２１Ａ〜２１Ｃ  ドライブ孔
２２Ａ〜２２Ｃ  ドライブ孔
２３  抜け止め孔
【図１】
2008050928.tif 000003
【図２】
2008050928.tif 000004
【図３】
2008050928.tif 000005
【図４】
2008050928.tif 000006
【図５】
2008050928.tif 000007
【図６】
2008050928.tif 000008
【図７】
2008050928.tif 000009
【図８】
2008050928.tif 000010
【図９】
2008050928.tif 000011